(57)【要約】【課題】希釈された場合であっても、洗浄力に優れ、水切れ性にも優れる食器洗い用洗浄剤組成物を提供すること。【解決手段】（Ａ）成分：アルキルベンゼンスルホン酸塩（Ａ１）を含むアニオン界面活性剤、（Ｂ）成分：両性界面活性剤、及びアミンオキシド型界面活性剤からなる群から選択される少なくとも１種、（Ｃ）成分：カチオン化セルロース、及び（Ｄ）成分：ノニオン界面活性剤を含み、前記（Ａ）成分の含有量が、食器洗い用洗浄剤組成物の総質量に対し、１０質量％以上であり、前記（Ａ１）成分の含有量が、前記（Ａ）成分の総質量に対し、５０質量％以上であり、マグネシウムイオンの含有量が、食器洗い用洗浄剤組成物の総質量に対し、０．０２〜０．６０質量％であり、（Ａ＋Ｂ）／Ｄ比が１〜１０である、食器洗い用洗浄剤組成物。【選択図】なし【特許請求の範囲】
【請求項１】
（Ａ）成分、（Ｂ）成分、（Ｃ）成分、及び（Ｄ）成分を含み、
前記（Ａ）成分がアニオン界面活性剤であり、
前記（Ｂ）成分が両性界面活性剤、及びアミンオキシド型界面活性剤からなる群から選択される少なくとも１種であり、
前記（Ｃ）成分がカチオン化セルロースであり、
前記（Ｄ）成分がノニオン界面活性剤であり、
前記（Ａ）成分の含有量が、食器洗い用洗浄剤組成物の総質量に対し、１０質量％以上であり、
前記（Ａ）成分が、アルキルベンゼンスルホン酸塩（Ａ１）を含有し、
前記（Ａ１）成分の含有量が、前記（Ａ）成分の総質量に対し、５０質量％以上であり、
マグネシウムイオンの含有量が、食器洗い用洗浄剤組成物の総質量に対し、０．０２〜０．６０質量％であり、
［前記（Ａ）成分＋前記（Ｂ）成分］／前記（Ｄ）成分で表される質量比が１〜１０である、食器洗い用洗浄剤組成物。
【請求項２】
前記（Ｂ）成分が、前記両性界面活性剤である、請求項１に記載の食器洗い用洗浄剤組成物。
【請求項３】
前記（Ａ）成分／前記（Ｂ）成分で表される質量比が２〜８０である、請求項１又は２に記載の食器洗い用洗浄剤組成物。
【請求項４】
前記（Ｄ）成分がポリオキシアルキレン基を有するポリオキシアルキレン型ノニオン界面活性剤を含有し、前記ポリオキシアルキレン基の含有量が、前記ポリオキシアルキレン型ノニオン界面活性剤１分子当たり平均５０〜９９質量％である、請求項１〜３のいずれか一項に記載の食器洗い用洗浄剤組成物。
【請求項５】
［前記（Ａ）成分＋前記（Ｂ）成分］／前記マグネシウムイオンで表される質量比が２０〜８００である、請求項１〜４のいずれか一項に記載の食器洗い用洗浄剤組成物。
【請求項６】
前記（Ａ）成分が、下記式（Ａ−Ｉ）で表されるエーテル硫酸塩型アニオン界面活性剤（Ａ２）を含有する、請求項１〜５のいずれか一項に記載の食器洗い用洗浄剤組成物。
Ｒ１−Ｏ−［（ＰＯ）ｍ／（ＥＯ）ｎ］−ＳＯ３−  １／Ｘ・Ｍ＋  ・・・（Ａ−Ｉ）
（式（Ａ−Ｉ）中、Ｒ１は炭素数８〜１８の直鎖又は分岐鎖のアルキル基を表し；ＰＯはオキシプロピレン基を表し；ＥＯはオキシエチレン基を表し；ｍはＰＯの平均繰り返し数を表し、０≦ｍ≦１であり；ｎはＥＯの平均繰り返し数を表し、０≦ｎ≦５であり；［（ＰＯ）ｍ／（ＥＯ）ｎ］においてＥＯ及びＰＯはランダム付加であってもよくブロック付加であってもよく；Ｍ＋は対イオンであり；ＸはＭ＋の価数である。）
【請求項７】
前記（Ａ２）成分が、前記式（Ａ−Ｉ）中、ｍが０であり、ｎが０であるアルキル硫酸エステル型アニオン界面活性剤（Ａ３）を含み、
前記（Ａ３）成分の含有量が、前記（Ａ２）成分の総質量に対し、３０質量％以上である、請求項６に記載の食器洗い用洗浄剤組成物。
【発明の詳細な説明】
【技術分野】
【０００１】
本発明は、食器洗い用洗浄剤組成物に関する。
【背景技術】
【０００２】
食器、調理器具等（以下、総じて「食器」という）の被洗物を洗浄する方法としては、食器洗い用洗浄剤を直接スポンジ等の洗浄具に取って、洗浄具で被洗物を擦り洗いする方法や、食器洗い用洗剤を水で希釈して希釈液を調製し、希釈液をスポンジ等の洗浄具に取って、洗浄具で被洗物を擦り洗いする方法等が挙げられる。
しかしながら、希釈液を用いて洗浄すると、洗浄時の洗浄剤の濃度が低いため、洗浄力を充分に発揮することが難しい。
また、食器洗い用洗浄剤には、被洗物に付着した水が素早く切れ、被洗物が速く乾く性能（水切れ性）が要求される。
【０００３】
特許文献１は、α−スルホ脂肪酸アルキルエステル塩と、α−スルホ脂肪酸アルキルエステル塩以外のアニオン界面活性剤と、両性界面活性剤とを含む液体洗浄剤について提案している。特許文献１の液体洗浄剤は、洗浄力に優れ、希釈分散性に優れる。
【先行技術文献】
【特許文献】
【０００４】
【特許文献１】国際公開第２０１７／０６９０１７号
【発明の概要】
【発明が解決しようとする課題】
【０００５】
しかしながら、特許文献１の液体洗浄剤は、水切れ性について検討されていない。
【０００６】
本発明は、上記事情に鑑みてなされたものであり、希釈された場合であっても、洗浄力に優れ、水切れ性にも優れる食器洗い用洗浄剤組成物を提供することを目的とする。
【課題を解決するための手段】
【０００７】
本発明の食器洗い用洗浄剤組成物は、以下の態様を含む。
［１］  （Ａ）成分、（Ｂ）成分、（Ｃ）成分、及び（Ｄ）成分を含み、
前記（Ａ）成分がアニオン界面活性剤であり、
前記（Ｂ）成分が両性界面活性剤、及びアミンオキシド型界面活性剤からなる群から選択される少なくとも１種であり、
前記（Ｃ）成分がカチオン化セルロースであり、
前記（Ｄ）成分がノニオン界面活性剤であり、
前記（Ａ）成分の含有量が、食器洗い用洗浄剤組成物の総質量に対し、１０質量％以上であり、
前記（Ａ）成分が、アルキルベンゼンスルホン酸塩（Ａ１）を含有し、
前記（Ａ１）成分の含有量が、前記（Ａ）成分の総質量に対し、５０質量％以上であり、
マグネシウムイオンの含有量が、食器洗い用洗浄剤組成物の総質量に対し、０．０２〜０．６０質量％であり、
［前記（Ａ）成分＋前記（Ｂ）成分］／前記（Ｄ）成分で表される質量比が１〜１０である、食器洗い用洗浄剤組成物。
［２］  前記（Ｂ）成分が、前記両性界面活性剤である、［１］に記載の食器洗い用洗浄剤組成物。
［３］  前記（Ａ）成分／前記（Ｂ）成分で表される質量比が２〜８０である、［１］又は［２］に記載の食器洗い用洗浄剤組成物。
［４］  前記（Ｄ）成分がポリオキシアルキレン基を有するポリオキシアルキレン型ノニオン界面活性剤を含有し、前記ポリオキシアルキレン基の含有量が、前記ポリオキシアルキレン型ノニオン界面活性剤１分子当たり平均５０〜９９質量％である、［１］〜［３］のいずれか一項に記載の食器洗い用洗浄剤組成物。
［５］  ［前記（Ａ）成分＋前記（Ｂ）成分］／前記マグネシウムイオンで表される質量比が２０〜８００である、［１］〜［４］のいずれか一項に記載の食器洗い用洗浄剤組成物。
［６］  前記（Ａ）成分が、下記式（Ａ−Ｉ）で表されるエーテル硫酸塩型アニオン界面活性剤（Ａ２）を含有する、［１］〜［５］のいずれか一項に記載の食器洗い用洗浄剤組成物。
Ｒ１−Ｏ−［（ＰＯ）ｍ／（ＥＯ）ｎ］−ＳＯ３−  １／Ｘ・Ｍ＋  ・・・（Ａ−Ｉ）
（式（Ａ−Ｉ）中、Ｒ１は炭素数８〜１８の直鎖又は分岐鎖のアルキル基を表し；ＰＯはオキシプロピレン基を表し；ＥＯはオキシエチレン基を表し；ｍはＰＯの平均繰り返し数を表し、０≦ｍ≦１であり；ｎはＥＯの平均繰り返し数を表し、０≦ｎ≦５であり；［（ＰＯ）ｍ／（ＥＯ）ｎ］においてＥＯ及びＰＯはランダム付加であってもよくブロック付加であってもよく；Ｍ＋は対イオンであり；ＸはＭ＋の価数である。）
［７］  前記（Ａ２）成分が、前記式（Ａ−Ｉ）中、ｍが０であり、ｎが０であるアルキル硫酸エステル型アニオン界面活性剤（Ａ３）を含み、
前記（Ａ３）成分の含有量が、前記（Ａ２）成分の総質量に対し、３０質量％以上である、［６］に記載の食器洗い用洗浄剤組成物。
【発明の効果】
【０００８】
本発明の食器洗い用洗浄剤組成物は、希釈された場合であっても、洗浄力に優れ、水切れ性にも優れる。
【発明を実施するための形態】
【０００９】
≪食器洗い用洗浄剤組成物≫
本発明の食器洗い用洗浄剤組成物は、（Ａ）成分、（Ｂ）成分、（Ｃ）成分、（Ｄ）成分、及びマグネシウムイオンを含む液体である。
【００１０】
＜（Ａ）成分＞
（Ａ）成分はアニオン界面活性剤である。（Ａ）成分としては、食器洗い用洗浄剤に用いられる公知のアニオン界面活性剤を使用することができる。
（Ａ）成分は、アルキルベンゼンスルホン酸塩（Ａ１）を含有する。（Ａ１）成分のアルキル基は直鎖又は分岐鎖であってもよい。（Ａ１）成分のアルキル基の炭素数は、８〜１８が好ましく、炭素数１２〜１４がより好ましい。（Ａ１）成分の塩の形態としては、ナトリウム、カリウム等のアルカリ金属塩；マグネシウム等のアルカリ土類金属塩；モノエタノールアンモニウム、ジエタノールアンモニウム等のアルカノールアミン塩などが挙げられる。
【００１１】
（Ａ）成分は、下記式（Ａ−Ｉ）で表されるエーテル硫酸塩型アニオン界面活性剤（Ａ２）を含有することが好ましい。
Ｒ１−Ｏ−［（ＰＯ）ｍ／（ＥＯ）ｎ］−ＳＯ３−  １／Ｘ・Ｍ＋  ・・・（Ａ−Ｉ）
（式（Ａ−Ｉ）中、Ｒ１は炭素数８〜１８の直鎖又は分岐鎖のアルキル基を表し；ＰＯはオキシプロピレン基を表し；ＥＯはオキシエチレン基を表し；ｍはＰＯの平均繰り返し数を表し、０≦ｍ≦１であり；ｎはＥＯの平均繰り返し数を表し、０≦ｎ≦５であり；［（ＰＯ）ｍ／（ＥＯ）ｎ］においてＥＯ及びＰＯはランダム付加であってもよくブロック付加であってもよく；Ｍ＋は対イオンであり；ＸはＭ＋の価数である。）
【００１２】
（Ａ２）成分は、前記式（Ａ−Ｉ）中、ｍが０であり、ｎが０であるアルキル硫酸エステル型アニオン界面活性剤（Ａ３）を含むことが好ましい。（Ａ３）成分としては、直鎖アルキル（Ｃ１２）硫酸エステル塩、直鎖アルキル（Ｃ１２／１４＝７５／２５；天然油脂由来）硫酸エステル塩等が挙げられる。
【００１３】
前記式（Ａ−Ｉ）中、ｍとｎのうち少なくとも一方が１以上であるエーテル硫酸塩型アニオン界面活性剤としては、ポリオキシエチレン（平均繰り返し数１）直鎖アルキル（Ｃ１２）エーテル硫酸ナトリウム塩、ポリオキシエチレン（平均繰り返し数２）直鎖アルキル（Ｃ１２）エーテル硫酸ナトリウム塩、ポリオキシエチレン（平均繰り返し数４）直鎖アルキル（Ｃ１２）エーテル硫酸ナトリウム塩、ポリオキシプロピレン（平均繰り返し数０．４）ポリオキシエチレン（平均繰り返し数１．５）直鎖アルキル（Ｃ１２）エーテル硫酸ナトリウム塩、ポリオキシエチレン（平均繰り返し数１）直鎖アルキル（Ｃ１２／１４＝７５／２５；天然油脂由来）エーテル硫酸ナトリウム塩、ポリオキシエチレン（平均繰り返し数２）直鎖アルキル（Ｃ１２／１４＝７５／２５；天然油脂由来）エーテル硫酸ナトリウム塩、ポリオキシエチレン（平均繰り返し数４）直鎖アルキル（Ｃ１２／１４＝７５／２５；天然油脂由来）エーテル硫酸ナトリウム塩、ポリオキシプロピレン（平均０．４）ポリオキシエチレン（平均繰り返し数１．５）直鎖アルキル（Ｃ１２／１４＝７５／２５；天然油脂由来）エーテル硫酸ナトリウム塩などが挙げられる。
【００１４】
また、一般的に使用される（Ａ２）成分は、（Ａ３）成分を含む混合物として製造され、使用されている。
例えば、ポリオキシエチレン（平均繰り返し数１）直鎖アルキル（Ｃ１２）エーテル硫酸ナトリウム塩の場合は、オキシエチレン基の平均繰り返し数が０である化合物（（Ａ３）成分に相当）を約３５〜５５質量％含む化合物として使用されることが好ましい。ポリオキシエチレン（平均繰り返し数２）直鎖アルキル（Ｃ１２）エーテル硫酸ナトリウム塩の場合は、オキシエチレン基の平均繰り返し数が０である化合物（（Ａ３）成分に相当）を約２０〜４０質量％含む化合物として使用されることが好ましい。
【００１５】
Ｍ＋は対イオンである。例えばアルカリ金属、アルカリ土類金属、アンモニウム又はアルカノールアミンのイオンであり、水溶性の塩を形成し得るものであればよい。アルカリ金属としては、ナトリウム、カリウムなどが挙げられる。アルカリ土類金属としては、カルシウム、マグネシウム、亜鉛などが挙げられる。アルカノールアミンとしては、モノエタノールアミン、ジエタノールアミン、トリエタノールアミンなどが挙げられる。
ＸはＭ＋の価数であり、１〜２が好ましい。
【００１６】
（Ａ）成分は、１種単独で用いてもよいし、２種以上を併用してもよい。
（Ａ）成分の含有量は、食器洗い用洗浄剤組成物の総質量に対して、１０質量％以上であり、１１〜２０質量％が好ましく、１２〜１８質量％がより好ましく、１３〜１６質量％がさらに好ましい。
（Ａ）成分の含有量が上記上限値以下であると、水切れ性を向上しやすくなる。
（Ａ）成分の含有量が上記下限値以上であると、洗浄力を向上しやすくなる。
【００１７】
（Ａ１）成分の含有量は、（Ａ）成分の総質量に対し、５０質量％以上であり、６０〜１００質量％が好ましく、７０〜９０質量％がより好ましい。
（Ａ１）成分の含有量が上記上限値以下であると、水切れ性を向上しやすくなる。
（Ａ１）成分の含有量が上記下限値以上であると、洗浄力を向上しやすくなる。
【００１８】
（Ａ２）成分の含有量は、（Ａ）成分の総質量に対し、０〜５０質量％が好ましく、２０〜６０質量％がより好ましい。
（Ａ２）成分の含有量が上記上限値以下であると、洗浄力を向上しやすくなる。
（Ａ２）成分の含有量が上記下限値以上であると、水切れ性を向上しやすくなる。
【００１９】
（Ａ１）成分／（Ａ２）成分で表される質量比（以下、「Ａ１／Ａ２比」ともいう）は、１〜２０が好ましく、３〜１８がより好ましい。
Ａ１／Ａ２比が上記上限値以下であると、水切れ性を向上しやすくなる。
Ａ１／Ａ２比が上記下限値以上であると、洗浄力を向上しやすくなる。
【００２０】
（Ａ３）成分の含有量は、（Ａ２）成分の総質量に対し、３０質量％以上が好ましく、５０〜９５質量％がより好ましく、６５〜９０質量％が特に好ましい。前記範囲内であると、洗浄力、水切れ性を向上しやすい。
【００２１】
＜（Ｂ）成分＞
（Ｂ）成分は、両性界面活性剤、及びアミンオキシド型界面活性剤からなる群から選択される少なくとも１種である。
両性界面活性剤としては、例えばカルボン酸塩型、硫酸エステル塩型、スルホン酸塩型、リン酸エステル塩型が挙げられ、カルボン酸塩型の両性界面活性剤が好ましい。
カルボン酸塩型の両性界面活性剤として具体的には、ラウリルジメチルアミノ酢酸ベタイン、ヤシアルキルジメチルアミノ酢酸ベタイン、ヤシ油脂肪酸アミドプロピルベタイン、ラウリン酸アミドプロピルジメチルアミノ酢酸ベタイン、ヤシアルキルアミドプロピルジメチルアミノ酢酸ベタイン等のベタイン型両性界面活性剤が挙げられる。
両性界面活性剤は、下記一般式（Ｂ−Ｉ）で表される化合物を用いることが好ましい。
Ｒ２−（Ａ）ｐ−Ｎ＋（−Ｒ３）（−Ｒ４）−Ｒ５−Ｒ６  …（Ｂ−Ｉ）
（式（Ｂ−Ｉ）中、Ｒ２は炭素数８〜１８の直鎖又は分岐鎖のアルキル基を表し、Ｒ３及びＲ４はそれぞれ独立に、炭素数１〜３のアルキル基又はヒドロキシアルキル基を表し、Ａは−Ｃ＝Ｏ（−ＮＨ−Ｘ）−を表し、Ｘは炭素数１〜４のアルキレン基を表し、ｐは０又は１の数であり、Ｒ５は炭素数１〜２のアルキレン基を表し、Ｒ６は−ＣＯ２−又は−ＳＯ３−を表す。）
【００２２】
アミンオキシド型界面活性剤としては、例えばアルキルアミンオキシド、アルカノイルアミドアルキルアミンオキシドが挙げられる。なかでも下記一般式（Ｂ−ＩＩ）で表される化合物が好適なものとして挙げられる。
【００２３】
【化１】
2019172819.tif 000002
【００２４】
前記式（Ｂ−ＩＩ）中、Ｒ１０は、炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり、Ｒ７、及びＲ８は、それぞれ独立して、炭素数１〜３のアルキル基、又は炭素数１〜３のヒドロキシアルキル基であり、Ｒ９は炭素数１〜４のアルキレン基であり、Ｂは−ＣＯＮＨ−、−ＮＨＣＯ−、−ＣＯＯ−、−ＯＣＯ−又は−Ｏ−であり、ｒは０又は１の数である。
【００２５】
Ｒ１０のアルキル基、アルケニル基において、炭素数は８〜１８であり、１０〜１４であることが好ましい。
Ｒ７、Ｒ８は、それぞれ独立して、炭素数１〜３のアルキル基、又は炭素数１〜３のヒドロキシアルキル基であり、炭素数１〜３のアルキル基が好ましく、メチル基がより好ましい。Ｒ７、Ｒ８はいずれもメチル基であることがさらに好ましい。
ｒは、０又は１の数であり、０が好ましい。
【００２６】
アミンオキシド型界面活性剤として具体的には、ラウリルジメチルアミンオキシド、ヤシアルキルジメチルアミンオキシド、ラウリルジエチルアミンオキシド、ｎ−ドデシルジメチルアミンオキシド等のアルキルジメチルアミンオキシド系のもの；ラウリン酸アミドプロピルアミンオキシド等のアルカノイルアミドアルキルジメチルアミンオキシド系のもの等が挙げられる。なかでも、アルキルジメチルアミンオキシド系のものがより好ましい。
（Ｂ）成分は、水切れ性、洗浄力の観点から両性界面活性剤が好ましい。
【００２７】
（Ｂ）成分は、１種単独で用いてもよいし、２種以上を併用してもよい。
（Ｂ）成分の含有量は、食器洗い用洗浄剤組成物の総質量に対して、０．１〜１０質量％が好ましく、０．２〜８質量％がより好ましく、０．３〜６質量％がさらに好ましい。
（Ｂ）成分の含有量が上記範囲内であると、洗浄力、水切れ性を向上しやすくなる。
【００２８】
（Ａ）成分／（Ｂ）成分で表される質量比（以下「Ａ／Ｂ比」ともいう）は、２〜８０が好ましく、１０〜５０がより好ましい。
Ａ／Ｂ比が上記範囲内であると、水切れ性、洗浄力を向上しやすくなる。
【００２９】
＜（Ｃ）成分＞
（Ｃ）成分は、カチオン化セルロースである。
（Ｃ）成分としては、下記一般式（Ｃ−Ｉ）で表される化合物、下記一般式（Ｃ−ＩＩ）で表される化合物、及び下記一般式（Ｃ−ＩＩＩ）で表される化合物等が挙げられる。
【００３０】
【化２】
2019172819.tif 000003
【００３１】
【化３】
2019172819.tif 000004
【００３２】
【化４】
2019172819.tif 000005
【００３３】
一般式（Ｃ−Ｉ）中のｎは平均繰返し数を表し、化合物の平均分子量は１万〜数百万であることが好ましい。
一般式（Ｃ−ＩＩ）中のｖ及びｗは平均繰返し数を表し、化合物の平均分子量は１万〜数十万であることが好ましい。
一般式（Ｃ−ＩＩＩ）中のｕは平均繰返し数を表し、化合物の平均分子量は１万〜数十万であることが好ましい。
【００３４】
（Ｃ）成分のカチオン化度は、０．５〜３．５質量％が好ましく、０．８〜１．３質量％がより好ましい。カチオン化度が上記範囲内であれば、水切れ性がより高まる。ここで、「カチオン化度」とは、カチオン化セルロースの分子中に占める、カチオン化剤に由来する窒素原子の含有率（質量％）、すなわち、カチオン化セルロースの総質量に対する窒素原子の含有率を意味する。カチオン化セルロースのカチオン化度は、特定された化学構造に基づいて計算される。カチオン化セルロースにおける任意のモノマーの比率が不明な場合等、カチオン化セルロースの化学構造が特定されない場合には、カチオン化度は実験的に求められた窒素含有率から算出される。カチオン化セルロース中の窒素含有率の測定方法としては、例えば、ケルダール法等が挙げられる。
【００３５】
２５℃における（Ｃ）成分の１質量％水溶液の粘度は、１０００〜５０００ｍＰａ・ｓが好ましく、２０００〜３０００ｍＰａ・ｓがより好ましく、２５００〜３０００ｍＰａ・ｓがさらに好ましい。（Ｃ）成分の１質量％水溶液の粘度が上記範囲内であれば、低濃度の洗浄時の水切れ性により優れる。粘度は、２５℃のカチオン化セルロースの１質量％の水溶液をＢ型粘度計で測定した値である。粘度の測定条件は、以下の通りである。
測定条件：
［ローター］
測定対象の粘度に対応するローター番号、ローター回転数は、下記の通りである。
・粘度が５００ｍＰａ・ｓ未満：ローター番号Ｎｏ．２、回転数６０ｒｐｍ。
・粘度が５００ｍＰａ・ｓ以上２０００ｍＰａ・ｓ未満：ローター番号Ｎｏ．３、回転数６０ｒｐｍ。
・粘度が２０００ｍＰａ・ｓ以上１００００ｍＰａ・ｓ未満：ローター番号Ｎｏ．４、回転数６０ｒｐｍ。
・粘度が１００００ｍＰａ・ｓ以上５００００ｍＰａ・ｓ未満：ローター番号Ｎｏ．４、回転数１２ｒｐｍ。
［数値の読み取り］
ローターの回転の開始から６０秒後。
【００３６】
（Ｃ）成分としては、例えば、商品名「レオガードＧＰ（第４級窒素含有率１．８質量％、ライオン・スペシャリティ・ケミカルズ株式会社製）」、商品名「レオガードＭＧＰ（第４級窒素含有率１．８質量％、ライオン・スペシャリティ・ケミカルズ株式会社製）」、商品名「レオガードＭＬＰ（第４級窒素含有率０．６質量％、ライオン・スペシャリティ・ケミカルズ株式会社製）」、商品名「ＵＣＡＲＥ  ＪＲ１２５（第４級窒素含有率１．９質量％、疎水置換指数０、ダウ・ケミカル社製）」、商品名「ＵＣＡＲＥ  ＪＲ４００（第４級窒素含有率１．９質量％、疎水置換指数０、ダウ・ケミカル社製）」、商品名「ＵＣＡＲＥ  ＬＲ３０Ｍ（第４級窒素含有率１．０質量％、疎水置換指数０、ダウ・ケミカル社製）」、商品名「ＳＯＦＴ  ＣＡＴ  ＳＬ−５（第４級窒素含有率０．９５質量％、疎水置換指数５、ダウ・ケミカル社製）」、商品名「ＳＯＦＴ  ＣＡＴ  ＳＬ−３０（第４級窒素含有率０．９５質量％、疎水置換指数３０、ダウ・ケミカル社製）」、商品名「ＳＯＦＴ  ＣＡＴ  ＳＬ−６０（第４級窒素含有率０．９５質量％、疎水置換指数６０、ダウ・ケミカル社製）」、商品名「ＳＯＦＴ  ＣＡＴ  ＳＬ−１００（第４級窒素含有率０．９５質量％、疎水置換指数１００、ダウ・ケミカル社製）」、商品名「ＳＯＦＴ  ＣＡＴ  ＳＸ−４００Ｈ（第４級窒素含有率２．５質量％、疎水置換指数３０、ダウ・ケミカル社製）」、商品名「ＳＯＦＴ  ＣＡＴ  ＳＸ−１３００Ｈ（第４級窒素含有率２．５質量％、疎水置換指数４５、ダウ・ケミカル社製）」、商品名「ＳＯＦＴ  ＣＡＴ  ＳＸ−４００Ｘ（第４級窒素含有率２．１質量％、疎水置換指数３０、ダウ・ケミカル社製）」、商品名「ＳＯＦＴ  ＣＡＴ  ＳＸ−１３００Ｘ（第４級窒素含有率２．１質量％、疎水置換指数４５、ダウ・ケミカル社製）」などが挙げられる。これらの中でも、水切れ性能の観点から疎水置換指数の高い「ＳＯＦＴ  ＣＡＴ  ＳＬ−５」、「ＳＯＦＴ  ＣＡＴ  ＳＬ−３０」、「ＳＯＦＴ  ＣＡＴ  ＳＬ−６０」、「ＳＯＦＴ  ＣＡＴ  ＳＬ−１００」「ＳＯＦＴ  ＣＡＴ  ＳＸ−４００Ｈ」「ＳＯＦＴ  ＣＡＴ  ＳＸ−１３００Ｈ」「ＳＯＦＴ  ＣＡＴ  ＳＸ−４００Ｘ」「ＳＯＦＴ  ＣＡＴ  ＳＸ−１３００Ｘ」がより好ましい。
【００３７】
（Ｃ）成分は、１種単独で用いてもよいし、２種以上を併用してもよい。
（Ｃ）成分の含有量は、食器洗い用洗浄剤組成物の総質量に対して、０．０５〜１．５質量％が好ましく、０．１〜１．０質量％がより好ましい。
（Ｃ）成分の含有量が上記上限値以下であると、使用性を向上しやすい。
（Ｃ）成分の含有量が上記下限値以上であると、水切れを向上しやすい。
【００３８】
＜（Ｄ）成分＞
（Ｄ）成分はノニオン界面活性剤である。
（Ｄ）成分としては、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキシド、硬化ヒマシ油のアルキレンオキシド付加体、ソルビタン脂肪酸エステル等の糖脂肪酸エステル、Ｎ−アルキルポリヒドロキシ脂肪酸アミド、アルキルグリコシドなどが挙げられる。
【００３９】
ノニオン界面活性剤としては、上記の中でも、水切れ性の点で、ポリオキシアルキレン型ノニオン界面活性剤が好ましい。
ポリオキシアルキレン型ノニオン界面活性剤としては、例えば、下記一般式（Ｄ−Ｉ）で表される化合物（以下、「化合物（Ｄ−Ｉ）」ということがある。）が挙げられる。
Ｒ１１−Ｘ−［（ＥＯ）ｓ／（ＰＯ）ｔ］−Ｒ１２    ・・・（Ｄ−Ｉ）
【００４０】
式（Ｄ−Ｉ）中、Ｒ１１は炭素数６〜２２の炭化水素基であり、Ｘは２価の連結基であり、Ｒ１２は水素原子、炭素数１〜６のアルキル基又は炭素数２〜６のアルケニル基であり、ＥＯはオキシエチレン基を表し、ＰＯはオキシプロピレン基を表し、ｓはＥＯの平均繰り返し数を表し、３〜１００の数であり、ｔはＰＯの平均繰り返し数を表し、０〜６の数である。
【００４１】
式（Ｄ−Ｉ）中、Ｒ１１の炭化水素基の炭素数は、６〜２２であり、８〜２２が好ましく、１０〜１８がより好ましい。Ｒ１１の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられる。
Ｒ１２におけるアルキル基の炭素数は、１〜６であり、１〜３が好ましい。
Ｒ１２におけるアルケニル基の炭素数は、２〜６であり、２〜３が好ましい。
【００４２】
−Ｘ−が−Ｏ−、−ＣＯＯ−又は−ＣＯＮＨ−である化合物（Ｄ−Ｉ）は、第１級もしくは第２級の高級アルコール（Ｒ１１−ＯＨ）、高級脂肪酸（Ｒ１１−ＣＯＯＨ）又は高級脂肪酸アミド（Ｒ１１−ＣＯＮＨ）を原料として得られる。これら原料におけるＲ１１は、式（Ｄ−Ｉ）中のＲ１１と同じである。
【００４３】
ｓは、ＥＯの平均繰り返し数（すなわち、エチレンオキシドの平均付加モル数）を表す３〜１００の数であり、５〜５０が好ましい。上記上限値超では、ＨＬＢ値が高くなりすぎて油汚れに対する洗浄力が低下するおそれがある。上記下限値未満では、（Ｄ）成分自体の原料臭気の劣化を生じるおそれがある。
ｔは、ＰＯの平均繰り返し数（すなわち、プロピレンオキシドの平均付加モル数）を表す０〜６の数であり、０〜３が好ましく、０〜１がより好ましい。上記上限値超では、洗浄剤組成物の高温下での液安定性が低下する傾向にある。
【００４４】
ｔが１以上の場合、すなわち、化合物（Ｄ−Ｉ）がＥＯ及びＰＯを有する場合、エチレンオキシド及びプロピレンオキシドの付加方法は特に限定されず、例えば、ランダム付加方法でもよく、ブロック付加方法でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレンオキシドを付加し、さらにエチレンオキシドを付加する方法などが挙げられる。
【００４５】
化合物（Ｄ−Ｉ）としては、特に、−Ｘ−が−Ｏ−である化合物（アルコール型ノニオン界面活性剤）、又は、−Ｘ−が−ＣＯＯ−であり、Ｒ１２が炭素数１〜６のアルキル基もしくは炭素数２〜６のアルケニル基である化合物（脂肪酸アルキル（アルケニル）エステル）が好ましい。
【００４６】
−Ｘ−が−Ｏ−である場合、Ｒ１１の炭素数は１０〜２２が好ましく、１０〜２０がより好ましく、１０〜１８がさらに好ましい。−Ｘ−が−Ｏ−である場合、Ｒ１２は水素原子が好ましい。
【００４７】
−Ｘ−が−ＣＯＯ−である場合、Ｒ１１の炭素数は９〜２１が好ましく、１１〜２１がより好ましい。−Ｘ−が−ＣＯＯ−である場合、Ｒ１２は炭素数１〜６のアルキル基又は炭素数２〜６のアルケニル基が好ましく、炭素数１〜３のアルキル基がより好ましい。
【００４８】
−Ｘ−が−Ｏ−又は−ＣＯＯ−である化合物（Ｄ−Ｉ）としては、例えば、三菱化学株式会社製のＤｉａｄｏｌ（商品名、Ｃ１３（Ｃは炭素数を示す。以下同様。））、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコールに対して、１２モル相当又は１５モル相当のエチレンオキシドを付加したもの；プロクター・アンド・ギャンブル社製のＣＯ−１２１４又はＣＯ−１２７０（商品名）等の天然アルコールに対して、１２モル相当又は１５モル相当のエチレンオキシドを付加したもの；ブテンを３量化して得られるＣ１２アルケンをオキソ法に供して得られるＣ１３アルコールに対して、７モル相当のエチレンオキシドを付加したもの（商品名：Ｌｕｔｅｎｓｏｌ  ＴＯ７、ＢＡＳＦ社製）；ペンタノールをガーベット反応に供して得られるＣ１０アルコールに対して、９モル相当のエチレンオキシドを付加したもの（商品名：Ｌｕｔｅｎｓｏｌ  ＸＰ９０、ＢＡＳＦ社製）；ペンタノールをガーベット反応に供して得られるＣ１０アルコールに対して、７モル相当のエチレンオキシドを付加したもの（商品名：Ｌｕｔｅｎｓｏｌ  ＸＬ７０、ＢＡＳＦ社製）；ペンタノールをガーベット反応に供して得られるＣ１０アルコールに対して、６モル相当のエチレンオキシドを付加したもの（商品名：Ｌｕｔｅｎｓｏｌ  ＸＡ６０、ＢＡＳＦ社製）；炭素数１２〜１４の第２級アルコールに対して、５モル相当又は７モル相当又は９モル相当又は１５モル相当のエチレンオキシドを付加したもの（商品名：ソフタノール５０、ソフタノール７０、ソフタノール９０、ソフタノール１５０、株式会社日本触媒（株）製）；ヤシ脂肪酸メチル（ラウリン酸／ミリスチン酸＝８／２）に対して、アルコキシル化触媒を用いて、１５モル相当のエチレンオキシドを付加したもの（ポリオキシエチレンヤシ脂肪酸メチルエステル（ＥＯ１５モル））などが挙げられる。
【００４９】
なかでも（Ｄ）成分としては、下記一般式（Ｄ−ＩＩ）で表される化合物が好ましい。
Ｒ１３−Ｏ−（ＥＯ）ｎ−Ｈ    ・・・（Ｄ−ＩＩ）
式（Ｄ−ＩＩ）中、Ｒ１３は炭素数８〜１８の直鎖又は分岐鎖のアルキル基を表し、ＥＯはオキシエチレン基を表し、ｎはＥＯの平均繰り返し数を表し、５≦ｎ≦１００である。
式（Ｄ−ＩＩ）中、ｎは、５≦ｎ≦１００であり、１０≦ｎ≦２５が好ましい。
ｎが上記範囲内であると、洗浄力、水切れ性を向上しやすい。
【００５０】
（Ｄ）成分がポリオキシアルキレン型ノニオン界面活性剤を含む場合、ポリオキシアルキレン基の含有量は、ポリオキシアルキレン型ノニオン界面活性剤１分子当たり平均５０〜９９質量％であることが好ましく、５０〜９８質量％がより好ましく、７０〜９０質量％がさらに好ましい。
ポリオキシアルキレン型ノニオン界面活性剤１分子当たりのポリオキシアルキレン基の平均含有量が上記範囲内であると、洗浄力、水切れ性を向上しやすい。
【００５１】
（Ｄ）成分は、１種単独で用いてもよいし、２種以上を併用してもよい。
（Ｄ）成分の含有量は、食器洗い用洗浄剤組成物の総質量に対して、１〜１０質量％が好ましく、２〜９質量％がより好ましい。
（Ｄ）成分の含有量が上記上限値以下であると、洗浄力を向上しやすい。
（Ｄ）成分の含有量が上記下限値以上であると、水切れ性を向上しやすい。
【００５２】
［（Ａ）成分＋（Ｂ）成分］／（Ｄ）成分で表される質量比（以下「（Ａ＋Ｂ）／Ｄ比」ともいう）は、１〜１０であり、１．５〜７が好ましく、３〜７がより好ましい。
（Ａ＋Ｂ）／Ｄ比が上記上限値以下であると、水切れ性を向上しやすい。
（Ａ＋Ｂ）／Ｄ比が上記下限値以上であると、洗浄力を向上しやすい。
【００５３】
（Ａ）成分と（Ｂ）成分と（Ｄ）成分との合計（以下、「Ａ＋Ｂ＋Ｄ」ともいう）は、食器洗い用洗浄剤組成物の総質量に対し、１０〜３０質量％が好ましく、１５〜２５質量％がより好ましく、１８〜２１質量％がさらに好ましい。
Ａ＋Ｂ＋Ｄが上記範囲内であると、洗浄力を向上しやすい。
【００５４】
＜マグネシウムイオン＞
本発明の食器洗い用洗浄剤組成物は、マグネシウムイオンを含む。
マグネシウムイオンは、上記（Ａ）成分としてマグネシウム塩のものを使用したり、マグネシウム無機塩（以下、（Ｅ）成分ともいう）を添加したりすることにより、食器洗い用洗浄剤組成物に含めることができる。
（Ａ）成分のマグネシウム塩としては、アルキルベンゼンスルホン酸１／２マグネシウム塩、ポリオキシエチレンアルキルエーテル硫酸１／２マグネシウム塩、アルキルエーテル硫酸マグネシウム塩などが挙げられる。
（Ｅ）成分としては、塩化マグネシウム、硫酸マグネシウム、硝酸マグネシウムおよびリン酸マグネシウム等が挙げられる。なかでも、硫酸マグネシウムが好ましい。
【００５５】
なお、本発明の食器洗い用洗浄剤組成物に含まれるマグネシウムイオンの含有量は、以下のように求めることができる。例えば硫酸マグネシウム・７水和物中（ＭｇＳＯ４・７Ｈ２Ｏ）を使用する場合はマグネシウムイオン（Ｍｇ）の含有量（質量％）は
｛[Ｍｇの原子量：２４]／[硫酸マグネシウム・７水和物の分子量：２４６]｝×１００＝９．８質量％から求めることができ、食器洗い用洗浄剤組成物中に配合する硫酸マグネシウム・７水和物の量から容易に計算できる。また、組成物を高周波誘導結合プラズマ発光分光分析法などの常法を用いて含有量を測定することもできる。
【００５６】
マグネシウムイオンの含有量は、食器洗い用洗浄剤組成物の総質量に対し、０．０２〜０．６０質量％であり、０．１０〜０．４０質量％が好ましい。
マグネシウムイオンの含有量が上記上限値以下であると、水切れ性を向上しやすくなる。
マグネシウムイオンの含有量が上記下限値以上であると、洗浄力を向上しやすくなる。
【００５７】
本発明の食器洗い用洗浄剤組成物が（Ｅ）成分を含む場合、（Ｅ）成分の含有量は、０．１〜１０質量％が好ましく、０．２〜８質量％がより好ましく、０．２〜６質量％がさらに好ましい。
【００５８】
［（Ａ）成分＋（Ｂ）成分］／マグネシウムイオンで表される質量比（以下「（Ａ＋Ｂ）／Ｍｇ２＋比」ともいう）は、２０〜８００が好ましく、２０〜３２０がより好ましく、５０〜１５０がさらに好ましい。
（Ａ＋Ｂ）／Ｍｇ２＋比が上記範囲内であると、洗浄力、水切れ性を向上しやすい。
【００５９】
＜その他の成分＞
本発明の食器洗い用洗浄剤組成物には、（Ａ）〜（Ｄ）成分以外の任意成分が含まれていてもよい。任意成分の種類及び量は、本発明の趣旨を損なわない範囲であれば特に限定されず、公知の食器洗い用洗浄剤に配合される成分が適用可能である。この様な任意成分としては、例えば、（Ａ）〜（Ｄ）成分以外の界面活性剤（任意界面活剤）、ハイドロトロープ剤、防腐剤、ｐＨ調整剤、除菌成分、漂白成分、金属捕捉成分、ラジカルトラップ剤、香料、水、色素等が挙げられる。
【００６０】
［ハイドロトロープ剤］
本発明の食器洗い用洗浄剤組成物は、トルエンスルホン酸、トルエンスルホン酸塩、クメンスルホン酸、クメンスルホン酸塩、安息香酸、安息香酸塩及びエタノールからなる群から選ばれる少なくとも一種のハイドロトロープ剤をさらに含有することが好ましい。ハイドロトロープ剤を含有することにより、主として、食器洗い用洗浄剤組成物の保存安定性（特に低温安定性）が向上して、透明外観をより安定に確保しやすくなる。ハイドロトロープ剤において、トルエンスルホン酸、トルエンスルホン酸塩、クメンスルホン酸、クメンスルホン酸塩は、それぞれｏ体、ｍ体、ｐ体の３異性体のいずれでもよく、これらのなかでも容易に入手が可能なことからｐ体が好ましく、そのなかでも、ｐ−トルエンスルホン酸、ｐ−トルエンスルホン酸塩がより好ましい。
ハイドロトロープ剤は、１種単独で用いてもよいし、２種以上を併用してもよい。
本発明の食器洗い用洗浄剤組成物がハイドロトロープ剤を含む場合、ハイドロトロープ剤の含有量は、食器洗い用洗浄剤組成物の総質量に対し、０．１〜１０質量％が好ましく、０．２〜５質量％がより好ましい。ハイドロトロープ剤の含有量が上記範囲内であると、洗浄力及び水切れ性を低下させることなく、その配合効果を得ることができる。
【００６１】
［防腐剤］
本発明の食器洗い用洗浄剤組成物においては、防腐剤としてイソチアゾリン系化合物をさらに含有することが好ましい。イソチアゾリン系化合物を含有することにより、本組成物に微生物が混入した場合でも、菌の増殖が抑えられ安全に使用することができる。
イソチアゾリン系化合物としては、例えば、ベンズイソチアゾリノン、メチルイソチアゾリノン、ブチルベンズイソチアゾリノン、クロロメチルイソチアゾリノン、オクチルイソチアゾリノン、ジクロロオクチルイソチアゾリノン等が挙げられる。
防腐剤は、１種単独で用いてもよいし、２種以上を併用してもよい。
防腐剤の含有量は、食器洗い用洗浄剤組成物の総質量に対して０．０００２〜０．０５質量％（２〜５００ｐｐｍ）が好ましく、０．００１〜０．０３質量％（１０〜３００ｐｐｍ）がより好ましい。
【００６２】
［ｐＨ調整剤］
ｐＨ調整剤としては、特に限定されないが、塩酸、硫酸等の無機酸、酢酸、クエン酸、コハク酸、リンゴ酸、フマル酸、酒石酸、マロン酸、マレイン酸、ｐ−トルエンスルホン酸等の有機酸から選ばれる酸剤、水酸化ナトリウム、水酸化カリウム、炭酸ナトリウム、炭酸カリウム、アンモニア及びその誘導体、モノエタノールアミン、ジエタノールアミン、トリエタノールアミン、Ｎ−メチルプロパノール、２−アミノ−２−メチル−１−プロパノール、Ｎ−（β−アミノエチル）エタノールアミン、ジエチレントリアミン、モルホリン、Ｎ−エチルモルホリン等から選ばれるアルカリ剤を用いることが好ましく、塩酸、硫酸、クエン酸から選ばれる酸剤、水酸化ナトリウム、水酸化カリウムから選ばれるアルカリ剤を用いることがより好ましい。
ｐＨ調整剤は、１種単独で用いてもよいし、２種以上を併用してもよい。
【００６３】
[除菌成分]
除菌成分としては、硫酸亜鉛、酸化亜鉛、水酸化亜鉛などの亜鉛化合物が好適なものとして挙げられる。なかでも、硫酸亜鉛、酸化亜鉛がより好ましく、硫酸亜鉛が特に好ましい。
除菌成分は、１種単独で用いてもよいし、２種以上を併用してもよい。
本発明の食器洗い用洗浄剤組成物に含まれる成分の合計量は１００質量％を超えない。
【００６４】
［ｐＨ］
本発明の食器洗い用洗浄剤組成物の２５℃におけるｐＨは、洗浄性、水切れ性が向上する点で、４〜８が好ましく、４〜５．５がより好ましい。
本発明において、食器洗い用洗浄剤組成物のｐＨ（２５℃）は、ＪＩＳ  Ｚ  ８８０２：１９８４「ｐＨ測定方法」に準拠した方法により測定される値を示す。
【００６５】
［粘度］
食器洗い用洗浄剤組成物としては、高粘度の食器洗い用洗浄剤組成物が好まれる場合がある。これは、高粘度であることが食器洗い用洗浄剤組成物の洗浄力の高さをイメージさせるためである。しかし、粘度が高すぎると吐出性の低下により使用性が悪くなる。したがって、食器洗い用洗浄剤組成物の粘度は５００〜１００００ｍＰａ・ｓが好ましく、１０００〜５０００ｍＰａ・ｓがより好ましい。
粘度は、２５℃の食器洗い用洗浄剤組成物をＢ型粘度計で測定した値である。粘度の測定条件は、以下の通りである。
測定条件：
［ローター］
測定対象の粘度に対応するローター番号、ローター回転数は、下記の通りである。
・粘度が５００ｍＰａ・ｓ未満：ローター番号Ｎｏ．２、回転数６０ｒｐｍ。
・粘度が５００ｍＰａ・ｓ以上２０００ｍＰａ・ｓ未満：ローター番号Ｎｏ．３、回転数６０ｒｐｍ。
・粘度が２０００ｍＰａ・ｓ以上１００００ｍＰａ・ｓ未満：ローター番号Ｎｏ．４、回転数６０ｒｐｍ。
・粘度が１００００ｍＰａ・ｓ以上５００００ｍＰａ・ｓ未満：ローター番号Ｎｏ．４、回転数１２ｒｐｍ。
［数値の読み取り］
ローターの回転の開始から６０秒後。
【００６６】
≪製造方法≫
食器洗い用洗浄剤組成物の製造方法としては特に制限されない。例えば、（Ａ）〜（Ｄ）成分と、溶媒である水と、必要に応じて（Ｅ）成分及び任意成分とを混合することにより製造される。
【００６７】
≪使用方法≫
本発明の食器洗い用洗浄剤組成物を用いて台所用品を洗浄する際には、本発明の食器洗い用洗浄剤組成物を水で希釈して使用してもよいし、水で希釈せずに使用してもよい。本発明の食器洗い用洗浄剤組成物は、水で希釈して使用する場合であっても洗浄力及び水切れ性に優れる。そのため、水で希釈して使用する食器洗い用洗浄剤として特に好適に用いられる。
本発明の食器洗い用洗浄剤組成物を水で希釈して使用する場合、１Ｌの水に本発明の食器洗い用洗浄剤組成物を５〜１５ｇ程度溶解させて使用することが好ましい。
本発明の食器洗い用洗浄剤組成物を希釈せずに使用する場合、スポンジ等の洗浄具に１〜１０ｇ程度取って使用することが好ましい。
本発明の食器洗い用洗浄剤組成物は、はし、フォーク、皿等の食器や、なべ、包丁等の調理器具の洗浄用に用いることができる。
【実施例】
【００６８】
以下に実施例を用いて本発明をさらに詳しく説明するが、本発明はこれら実施例に限定されるものではない。
【００６９】
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。
【００７０】
＜（Ａ）成分＞
・ａ−１：ＬＡＳ、直鎖アルキル（炭素数１２−１４）ベンゼンスルホン酸ナトリウム（商品名ライポン  ＬＳ−２５０、ライオン・スペシャリティ・ケミカルズ株式会社）、（Ａ１）成分。
・ａ−２：ＡＥＳ（２）、ポリオキシエチレン（平均繰返し数２）直鎖アルキル（Ｃ１２／１４＝７５／２５）エーテル硫酸ナトリウム（商品名シノリン  ＳＰＥ−１２５０、新日本理化株式会社）。ポリオキシエチレンの繰返し数０の（Ａ３）成分を２５質量％含有する（Ａ２）成分。
・ａ−３：ＳＬＳ、直鎖アルキル（Ｃ１２）硫酸エステルナトリウム（商品名サンノール  ＬＭ−１１３０、ライオン・スペシャリティ・ケミカルズ株式会社）、（Ａ３）成分。
【００７１】
＜（Ｂ）成分＞
・ｂ−１：ＣＡＰＢ、ヤシ油脂肪酸アミドプロピルベタイン（商品名ＮＩＫＫＯＬ  ＡＭ−３１３ＯＮ、日光ケミカルズ株式会社）。式（Ｂ−Ｉ）中、Ｒ２は炭素数１１〜１５のアルキル基であり、Ａは−Ｃ＝Ｏ（−ＮＨ−Ｘ−）−であり、Ｘは−（ＣＨ２）３−であり、Ｒ３はメチル基であり、Ｒ４はメチル基であり、ｐは１であり、Ｒ５は−ＣＨ２−であり、Ｒ６は−ＣＯ２−である化合物。
・ｂ−２：ＡＰＡＸ、ラウリン酸アミドプロピルジメチルアミンオキシド（商品名  ＧＥＮＡＭＩＮＯＸ  ＡＰ、クラリアントジャパン株式会社）。式（Ｂ−ＩＩ）中、Ｒ１０は炭素数１１〜１５のアルキル基であり、Ｂは−ＣＯＮＨ−であり、Ｒ９は炭素数３のアルキレン基であり、Ｒ７はメチル基であり、Ｒ８はメチル基であり、ｒは１である化合物。
・ｂ−３：ＡＸ、ｎ−ドデシルジメチルアミンオキシド（カデナックスＤＭ１２Ｄ−Ｗ、ライオン・スペシャリティ・ケミカルズ株式会社）。式（Ｂ−ＩＩ）中、Ｒ１０はドデシル基であり、ｒは０であり、Ｒ７はメチル基であり、Ｒ８はメチル基である化合物。
【００７２】
＜（Ｃ）成分＞
・ｃ−１：ＳＬ−１００、カチオン化セルロース（窒素含有量０．８〜１．１質量％、疎水置換指数１００）（商品名  ＳＯＦＴ  ＣＡＴ  ＳＬ−１００、ダウ・ケミカル社）。
・ｃ−２：ＳＬ−３０、カチオン化セルロース（窒素含有量０．８〜１．１質量％、疎水置換指数３０）（商品名  ＳＯＦＴ  ＣＡＴ  ＳＬ−３０、  ダウ・ケミカル社）。
・ｃ−３：ＳＸ−４００Ｈ、カチオン化セルロース（窒素含有量２．４〜２．６質量％、疎水置換指数３０）（商品名  ＳＯＦＴ  ＣＡＴ  ＳＸ−４００Ｈ、ダウ・ケミカル社）。
【００７３】
＜（Ｄ）成分＞
・ｄ−１：ＢＲＥ（１００）、ポリオキシエチレン（平均繰返し数１００）アルキル（直鎖Ｃ１２）エーテル（商品名  ノニオン  Ｋ２１００−Ｗ、日油株式会社）。ポリオキシエチレンの平均含有量９６．４質量％。
・ｄ−２、ＢＲＥ（１５）  ポリオキシエチレン（平均繰返し数１５）アルキル（直鎖Ｃ１２／１４＝７５／２５）エーテル（商品名  ＬＭＡＯ−９０、ライオン・スペシャリティ・ケミカルズ株式会社）ポリオキシエチレンの平均含有量７９．３質量％。
・ｄ−３：ＢＲＥ（５）、ポリオキシエチレン（平均繰返し数５）アルキルエーテル(直鎖Ｃ１２)（商品名  ＥＭＡＬＥＸ  ７０５、日本エマルジョン株式会社）ポリオキシエチレンの含有量５７質量％。
・ｄ−４：ＡＰＧ、アルキル（Ｃ８〜１０）ポリグルコシド（商品名：ＧＬＵＣＯＰＯＮ  ２１５ＵＰ、コグニスジャパン株式会社）ポリオキシエチレンの含有量０質量％。
【００７４】
＜（Ｅ）成分＞
・ｅ−１：ＭｇＳＯ４・７Ｈ２Ｏ、硫酸マグネシウム七水和物（商品名  硫酸マグネシウム七水和物、関東化学株式会社）。
・ｅ’−１：硫酸亜鉛一水和物（商品名  硫酸亜鉛一水和物、関東化学株式会社）。
【００７５】
＜任意成分＞
・エタノール：エタノール（商品名  エチルアルコール発酵  トレーサブル９５  １級  日本アルコール産業株式会社）。
・クエン酸三ナトリウム（商品名  クエン酸三ナトリウム、関東化学株式会社）。
・硫酸亜鉛一水和物（商品名  硫酸亜鉛一水和物、関東化学株式会社）。
・水：イオン交換水。
・ｐＨ調整剤：１Ｎ硫酸（純正化学株式会社）、１Ｎ水酸化ナトリウム水溶液（純正化学株式会社）
【００７６】
＜食器洗い用洗浄剤組成物の調製＞
表に示す配合組成の食器洗い用洗浄剤組成物１０００ｇを以下の手順にて調製した。
１Ｌビーカーに（Ａ）成分、（Ｂ）成分、（Ｄ）成分、（Ｅ）成分とイオン交換水３００ｇを入れ、スリーワンモータ（製品名：ＦＢＬ６００、新東科学株式会社製）で充分に攪拌した。次いで（Ｃ）成分と任意成分とを加え、充分に攪拌した。
２５℃でのｐＨが４．７になるように、ｐＨ調整剤を適量添加した後、全体量が１０００ｇになるようにイオン交換水を入れ、均一になるまで攪拌し食器洗い用洗浄剤組成物を得た。
食器洗い用洗浄剤組成物のｐＨ（２５℃）は、食器洗い用洗浄剤組成物を２５℃に調温し、ガラス電極式ｐＨメーター（東亜ディーケーケー株式会社製、商品名「ＨＭ−３０Ｇ」）を用い、ガラス電極を食器洗い用洗浄剤組成物に直接に浸漬し、１分間経過後に示すｐＨを測定した。測定方法は、ＪＩＳ  Ｚ  ８８０２：１９８４「ｐＨ測定方法」に準拠して行った。
得られた各例の食器洗い用洗浄剤組成物について、以下のようにして、水切れ性及び洗浄力を評価した。
【００７７】
＜水切れ性の評価＞
０．２５ｇの牛脂（関東化学社製）を均一に塗布した直径１８．５ｃｍの陶器皿を被洗物とした。
各例の食器洗い用洗浄剤組成物を水で希釈し、１．２５質量％の希釈液を５００ｍｌ調製した。
１１．５ｃｍ×７．５ｃｍ×３ｃｍの食器洗い用スポンジ（商品名スコッチブライト、住友スリーエム株式会社製）を、前記希釈液５００ｍｌを入れたおけに浸して、希釈液４０ｇをスポンジに付着させた。スポンジを５回手で揉んだ後、陶器皿１枚の表面を１０回擦り、流水中（水道水）で陶器皿を充分にすすいだ。再び同じスポンジを同じおけに浸し、上記同様の方法で別の皿を洗浄した。上記操作を繰り返し行い、計５枚の皿を洗浄した。５枚目の皿を垂直に立てかけ、皿表面の水１００％が流れ落ちる時間を評価した。以下の評価基準にて評価した。○、◎、◎◎を合格とする。
［評価基準］
◎◎：１００％水切れ時間が６０秒以下である。
◎：１００％水切れ時間が６０秒を超え、１２０秒以下である。
○：１００％水切れ時間が１２０秒を超え、１８０秒以下である。
×：１００％水切れ時間が１８０秒を超える。
【００７８】
＜洗浄力の評価＞
汚れとして、マーガリン（商品名  ｆｏｒ  ＶＩＴＡ、ＰＴ  ＢＩＮＡ  ＫＡＲＹＡ  ＰＲＩＭＡ  社製）とスダンＩＶ（関東化学株式会社製）を混合し、着色したマーガリンを調製した（着色マーガリン）。着色マーガリンにおけるスダンＩＶ濃度は０．１質量％に設定した。
直径１８．５ｃｍのプラスチック皿（ポリプロピレン製）に、前記着色マーガリン０．５ｇを均一に塗布し、これを被洗物とした。
縦１１．５ｃｍ×横７．５ｃｍ×高さ３ｃｍの食器洗い用スポンジ（商品名スコッチブライト、住友スリーエム株式会社製）に、洗浄剤組成物を水道水で１．２５質量％に希釈した洗浄液を４０ｇとった。スポンジを５回手で揉んだ後、被洗物の擦り洗いを行った。具体的には、洗浄液を含んだスポンジで、上記被洗物の表面を１０回、フチを１０回擦った後、水道水ですすいだ。その後被洗物を以下の評価基準にて評価した。○、◎を合格とする。
［評価基準］
◎：着色マーガリンの汚れ残りが目視で認められず、着色マーガリンの残留によるヌルつきがない。
○：着色マーガリンの汚れ残りが目視で認められないが、着色マーガリンの残留によるヌルつきが僅かにある。
△：着色マーガリンの汚れ残りが目視で認められ、着色マーガリンの残留によるヌルつきがある。
×：着色マーガリンの汚れ残りがかなり多く見られる。
【００７９】
【表１】
2019172819.tif 000006
【００８０】
【表２】
2019172819.tif 000007
【００８１】
【表３】
2019172819.tif 000008
【００８２】
【表４】
2019172819.tif 000009
【００８３】
【表５】
2019172819.tif 000010
【００８４】
【表６】
2019172819.tif 000011
【００８５】
【表７】
2019172819.tif 000012
【００８６】
【表８】
2019172819.tif 000013
【００８７】
本発明を適用した実施例１〜３５は、水切れ性、洗浄力のいずれも優れていた。
（Ａ１）成分の含有量が（Ａ）成分の総質量に対して５０質量％未満である比較例１は、洗浄力において劣っていた。
（Ａ＋Ｂ）／Ｄ比が１未満である比較例２は、水切れ性、洗浄力のいずれにおいても劣っていた。
（Ａ＋Ｂ）／Ｄ比が１０超である比較例３は、水切れ性において劣っていた。
マグネシウムイオンを含まない比較例４は、水切れ性、洗浄力のいずれにおいても劣っていた。
マグネシウムイオンの代わりに亜鉛イオンを含む比較例５は、水切れ性、洗浄力のいずれにおいても劣っていた。